(57)【特許請求の範囲】
【請求項１】
セルラパケットシステム用の加入者系処理装置と、衛星パケットシステム用の加入者系処理装置と、各加入者系処理装置を他のネットワークに接続する関門中継処理装置とを含むパケット通信システムにおいて、
前記関門中継処理装置は、
パケット通信する相手がセルラパケットシステム用の加入者系処理装置かまたは衛星パケットシステム用の加入者系処理装置かを判断する判断手段と、
前記判断手段の判断結果に従って無線区間に関する応答待ちタイマ値を設定する設定手段と
を備えたことを特徴とするパケット通信システム。
【請求項２】
請求項１に記載のパケット通信システムにおいて、
前記判断手段は、
加入者系処理装置から関門中継処理装置に対して送信される回線接続要求信号により判断することを特徴とするパケット通信システム。
【請求項３】
請求項１に記載のパケット通信システムにおいて、
前記判断手段は、
加入者系処理装置から関門中継処理装置に対して送信される、通信開始通知に対する確認信号により判断することを特徴とするパケット通信システム。
【請求項４】
請求項１に記載のパケット通信システムにおいて、
前記設定手段は、
セルラパケットシステム用の加入者系処理装置に対して短いタイマ値を設定し、かつ衛星パケットシステム用の加入者系処理装置に対して長いタイマ値を設定することを特徴とするパケット通信システム。
【請求項５】
セルラパケットシステム用の加入者系処理装置および衛星パケットシステム用の加入者系処理装置を他のネットワークに接続する関門中継処理装置において、
パケット通信する相手がセルラパケットシステム用の加入者系処理装置かまたは衛星パケットシステム用の加入者系処理装置かを判断する判断手段と、
前記判断手段の判断結果に従って無線区間に関する応答待ちタイマ値を設定する設定手段と
を備えたことを特徴とする関門中継処理装置。
【請求項６】
請求項５に記載の関門中継処理装置において、
前記判断手段は、
加入者系処理装置から関門中継処理装置に対して送信される回線接続要求信号により判断することを特徴とする関門中継処理装置。
【請求項７】
請求項５に記載の関門中継処理装置において、
前記判断手段は、
加入者系処理装置から関門中継処理装置に対して送信される、通信開始通知に対する確認信号により判断することを特徴とする関門中継処理装置。
【請求項８】
請求項５に記載の関門中継処理装置において、
前記設定手段は、
セルラパケットシステム用の加入者系処理装置に対して短いタイマ値を設定し、かつ衛星パケットシステム用の加入者系処理装置に対して長いタイマ値を設定することを特徴とする関門中継処理装置。
【請求項９】
セルラパケットシステム用の加入者系処理装置と、衛星パケットシステム用の加入者系処理装置と、各加入者系処理装置を他のネットワークに接続する関門中継処理装置とを用いるパケット通信方法において、
関門中継処理装置とパケット通信する相手がセルラパケットシステム用の加入者系処理装置かまたは衛星パケットシステム用の加入者系処理装置かを判断する判断ステップと、
前記判断ステップの判断結果に従って無線区間に関する応答待ちタイマ値を設定する設定ステップと
を備えることを特徴とするパケット通信方法。
【請求項１０】
請求項９に記載のパケット通信方法において、
前記判断ステップは、
加入者系処理装置から関門中継処理装置に対して送信される回線接続要求信号により判断することを特徴とするパケット通信方法。
【請求項１１】
請求項９に記載のパケット通信方法において、
前記判断ステップは、
加入者系処理装置から関門中継処理装置に対して送信される、通信開始通知に対する確認信号により判断することを特徴とするパケット通信方法。
【請求項１２】
請求項９に記載のパケット通信方法において、
前記設定ステップは、
セルラパケットシステム用の加入者系処理装置に対して短いタイマ値を設定し、かつ衛星パケットシステム用の加入者系処理装置に対して長いタイマ値を設定することを特徴とするパケット通信方法。
【発明の詳細な説明】
【０００１】
【発明の属する技術分野】
本発明は、パケット通信システムおよびパケット通信方法に関する。
【０００２】
【従来の技術】
従来より、移動通信を用いてパケット通信を行うセルラパケットシステムが開発されている。
【０００３】
図１は、従来技術によるセルラパケットシステムの一例を概念的に示す図である。
【０００４】
パケット通信システム１００は、少なくともセルラ用パケット関門中継処理装置ＰＧＷ１０とセルラ用パケット加入者系処理装置ＰＰＭ２０とセルラ用基地局３０とセルラ用移動機４０とネットワークサービスプロバイダＮＳＰ／イントラネット５０とから構成される。セルラ用パケット関門中継処理装置ＰＧＷ１０は、セルラパケットネットワークとネットワークサービスプロバイダＮＳＰ／イントラネット５０とを接続するゲートウェイの機能を有する交換機である。セルラ用パケット加入者系処理装置ＰＰＭ２０は、セルラ用パケット関門中継処理装置ＰＧＷ１０とセルラ用基地局３０との間に位置し、パケット交換を行う機能を有する。セルラ用基地局３０は、在圏するセルラ用移動機４０と無線パケットを送受信する機能を有する。
【０００５】
【発明が解決しようとする課題】
ここで、無線区間にＮＳＴＡＲ等の通信衛星を介して衛星通信を行うことによりパケット通信を行う衛星バケットシステムも可能である。しかしながら、セルラパケットシステムと衛星パケットシステムとでは無線区間の遅延時間が異なる。遅延時間の差異を生む要因には２つある。まず１つめは、遅延時間の差異であり、２つめは衛星におけるチャネル割り当て処理の追加である。１つめの要因であるが、通信衛星は通常は地上約３６，０００ｋｍに位置するので、無線電波の遅延時間がそれだけ長くなる。セルラパケットシステムにおける無線区間の長さによる遅延時間を無視すると、移動機とＰＰＭとのラウンドトリップタイムは衛星の方が一般に約０．５ｓｅｃ長くなる。もう１つの要因は、無線区間のチャネル使用方式の差異である。衛星通信におけるパケット通信ではチャネルを効率よく利用するために、上り信号送信時には一時的に上りチャネルを占有させて割り当てる方式を採用しており、上り信号を送信する前にチャネル割り当てに関する一往復の信号が送受信される（「特願平１０−１７４４４９」参照）。そのため、移動機とＰＰＭとの間のラウンドトリップタイムは衛星の方が一般に約０．５ｓｅｃ長くなる。従って、この２つの要因のため、移動機とＰＰＭとの間のラウンドトリップタイムは、衛星パケットシステムの方が最大で約１．０ｓｅｃ長くなることになる。
【０００６】
ここで、パケット関門中継処理装置ＰＧＷには、無線区間に関する応答待ちタイマ値を持っているが、従来のＰＧＷはセルラパケットシステム（例えば、ＰＤＣ−Ｐネットワーク等）で使用するようにチューニングされているので、移動機に信号を送信しその応答を待つための応答待ちタイマ値はセルラパケットシステム用に合わせている。そのため、衛星パケットシステムでは、ＰＧＷから衛星用移動機に送信した信号に対する応答を待たずに応答待ちタイマがタイムアウトする可能性がある。従って、ＰＧＷは、セルラパケットシステムにおいては短い時間を、また衛星パケットシステムにおいては長い時間を応答待ちタイマ値にそれぞれ設定する必要がある。従って、図２に示すように、セルラパケットシステムと衛星パケットシステムとが共存するシステムでは、パケット関門中継処理装置ＰＧＷ以下を別の構成とする必要があるという問題点がある。
【０００７】
また、この問題点を解決するために、ＰＧＷは衛星での遅延時間に合わせてタイマ値を一律に大きく持つこともできる。この方式を採用すると確かに衛星用移動機からの応答を待たずにタイムアウトする可能性は低くなる。しかし、逆にセルラ用移動機においてタイムアウトする時間が遅れるので、タイムアウトによる状態回復が遅れてしまうという問題点がある。
【０００８】
本発明の目的は、上記問題点に鑑み、ＰＧＷにおいて通信方式（セルラ／衛星）を区別しそれぞれのタイマ値を持つことにより、セルラパケットシステムと衛星パケットシステムでパケット関門中継処理装置ＰＧＷを共通で使用できるパケット通信システムおよびパケット通信方法を提供することにある。
【０００９】
【課題を解決するための手段】
請求項１に記載の発明は、セルラパケットシステム用の加入者系処理装置と、衛星パケットシステム用の加入者系処理装置と、各加入者系処理装置を他のネットワークに接続する関門中継処理装置とを含むパケット通信システムにおいて、前記関門中継処理装置は、パケット通信する相手がセルラパケットシステム用の加入者系処理装置かまたは衛星パケットシステム用の加入者系処理装置かを判断する判断手段と、前記判断手段の判断結果に従って無線区間に関する応答待ちタイマ値を設定する設定手段とを備えたことを特徴とする。
【００１０】
請求項２に記載の発明は、請求項１に記載のパケット通信システムにおいて、前記判断手段は、加入者系処理装置から関門中継処理装置に対して送信される回線接続要求信号により判断することを特徴とする。
【００１１】
請求項３に記載の発明は、請求項１に記載のパケット通信システムにおいて、前記判断手段は、加入者系処理装置から関門中継処理装置に対して送信される、通信開始通知に対する確認信号により判断することを特徴とする。
【００１２】
請求項４に記載の発明は、請求項１に記載のパケット通信システムにおいて、前記設定手段は、セルラパケットシステム用の加入者系処理装置に対して短いタイマ値を設定し、かつ衛星パケットシステム用の加入者系処理装置に対して長いタイマ値を設定することを特徴とする。
【００１３】
請求項５に記載の発明は、セルラパケットシステム用の加入者系処理装置および衛星パケットシステム用の加入者系処理装置を他のネットワークに接続する関門中継処理装置において、パケット通信する相手がセルラパケットシステム用の加入者系処理装置かまたは衛星パケットシステム用の加入者系処理装置かを判断する判断手段と、前記判断手段の判断結果に従って無線区間に関する応答待ちタイマ値を設定する設定手段とを備えたことを特徴とする。
【００１４】
請求項６に記載の発明は、請求項５に記載の関門中継処理装置において、前記判断手段は、加入者系処理装置から関門中継処理装置に対して送信される回線接続要求信号により判断することを特徴とする。
【００１５】
請求項７に記載の発明は、請求項５に記載の関門中継処理装置において、前記判断手段は、加入者系処理装置から関門中継処理装置に対して送信される、通信開始通知に対する確認信号により判断することを特徴とする。
【００１６】
請求項８に記載の発明は、請求項５に記載の関門中継処理装置において、前記設定手段は、セルラパケットシステム用の加入者系処理装置に対して短いタイマ値を設定し、かつ衛星パケットシステム用の加入者系処理装置に対して長いタイマ値を設定することを特徴とする。
【００１７】
請求項９に記載の発明は、セルラパケットシステム用の加入者系処理装置と、衛星パケットシステム用の加入者系処理装置と、各加入者系処理装置を他のネットワークに接続する関門中継処理装置とを用いるパケット通信方法において、関門中継処理装置とパケット通信する相手がセルラパケットシステム用の加入者系処理装置かまたは衛星パケットシステム用の加入者系処理装置かを判断する判断ステップと、前記判断ステップの判断結果に従って無線区間に関する応答待ちタイマ値を設定する設定ステップと
を備えることを特徴とする。
【００１８】
請求項１０に記載の発明は、請求項９に記載のパケット通信方法において、前記判断ステップは、加入者系処理装置から関門中継処理装置に対して送信される回線接続要求信号により判断することを特徴とする。
【００１９】
請求項１１に記載の発明は、請求項９に記載のパケット通信方法において、前記判断ステップは、加入者系処理装置から関門中継処理装置に対して送信される、通信開始通知に対する確認信号により判断することを特徴とする。
【００２０】
請求項１２に記載の発明は、請求項９に記載のパケット通信方法において、前記設定ステップは、セルラパケットシステム用の加入者系処理装置に対して短いタイマ値を設定し、かつ衛星パケットシステム用の加入者系処理装置に対して長いタイマ値を設定することを特徴とする。
【００２１】
【発明の実施の形態】
以下、図面を参照しながら、本発明の実施形態について詳細に説明する。
【００２２】
図３は、本発明が適用されるセルラパケットシステムと衛星パケットシステムとが共存するシステム構成の一例を示す図である。
【００２３】
本システムは、少なくともパケット関門中継処理装置ＰＧＷ１２と、セルラ用パケット加入者系処理装置ＰＰＭ２０と、セルラ用基地局３０と、セルラ用移動機４０と、衛星用パケット加入者系処理装置ＰＰＭ２１と、衛星用基地局３１と、衛星用移動機４１と、衛星６０とから構成される。パケット関門中継処理装置ＰＧＷ１２は、ネットワークサービスプロバイダＮＳＰ／イントラネット５０、セルラ用パケット加入者系処理装置ＰＰＭ２０および衛星用パケット加入者系処理装置ＰＰＭ２１に接続され、セルラパケットネットワークまたは衛星パケットネットワークとネットワークサービスプロバイダＮＳＰ／イントラネット５０等の他のネットワークとを接続するゲートウェイの機能を有する交換機である。セルラ用パケット加入者系処理装置ＰＰＭ２０は、パケット関門中継処理装置ＰＧＷ１２とセルラ用基地局３０との間に位置し、パケット交換を行う機能を有する。セルラ用基地局３０は、在圏するセルラ用移動機４０と無線パケットを送受信する機能を有する。衛星用パケット加入者系処理装置ＰＰＭ２１は、パケット関門中継処理装置ＰＧＷ１２と衛星用基地局３１との間に位置し、パケット交換を行う機能を有する。衛星用基地局３１は、在圏するセルラ用移動機４０と、衛星６０を介して無線パケットを送受信する機能を有する。衛星６０は、例えばＮＳＴＡＲ等の通信衛星である。
【００２４】
ここで、前述したように、セルラパケットシステムと衛星パケットシステムとでは無線区間の遅延時間が異なるため、パケット関門中継処理装置ＰＧＷ１２は、まず、セルラ用パケット加入者系処理装置ＰＰＭ２０との通信か衛星用パケット加入者系処理装置ＰＰＭ２１との通信かを判断する。そして、パケット関門中継処理装置ＰＧＷ１２が備える無線区間に関する応答待ちタイマ値にセルラパケットシステムにおいては短い時間を、また衛星パケットシステムにおいては長い時間をそれぞれ設定することにより、両システムにおいてパケット関門中継処理装置ＰＧＷ１２を共用することとする。
【００２５】
図４は、本発明が適用されるパケット加入者系処理装置ＰＰＭのハードウェア構成の一例を示す図であり、パケット加入者系処理装置ＰＰＭの構成のうち本発明に関係する部分のみを概念的に示している。
【００２６】
パケット加入者系処理装置ＰＰＭ４００は、少なくとも基地局等への各回線に対応する回線対応部４０１、スイッチングハブの機能を有する接続部４０２、および全体の制御を司る制御部４０３から構成される。
【００２７】
回線対応部４０１は、パケットハイウェイ切替装置ＨＷＳＷ４０４、パケット回線処理装置ＰＬＵ４０６およびＭＬＳ接続インタフェース回路ＭＬＥＩＦ４０８を含んでなる。パケットハイウェイ切替装置ＨＷＳＷ４０４は、パケット回線処理装置ＰＬＵ４０６、ＭＬＳ接続インタフェース回路ＭＬＥＩＦ４０８および回線切替装置ＣＳＷ４１６に接続され、例えば２Ｍｂｉｔ／ｓハイウェイインタフェース等のインタフェースにより基地局と接続する機能を有する。パケット回線処理装置ＰＬＵ４０６は、パケットハイウェイ切替装置ＨＷＳＷ４０４および接続部４０２に接続され、基地局とＬＡＰＢプロトコルを用いて通信する終端装置であり、パケット通信用の呼処理信号や基地局に対する監視系の信号を送受信する機能を有する。ＭＬＳ接続インタフェース回路ＭＬＥＩＦ４０８は、パケットハイウェイ切替装置ＨＷＳＷ４０４および回線切替装置ＣＳＷ４１６に接続され、例えば音声交換機ＭＬＳ等の他の交換機と接続する機能を有し、例えば、パケット通信用の報知情報の送受信を行う際には、基地局からパケット通信用のチャネルの情報を受信して、その情報を報知情報として音声交換機ＭＬＳに送信し、音声交換機ＭＬＳを経由して基地局から移動機に報知情報を送信する。
【００２８】
接続部４０２は、回線対応部４０１および制御部４０３に接続され、スイッチングハブの機能を有する。
【００２９】
制御部４０３は、ルータＲＴ４１２、ＰＰＭ中央処理装置ＰＣＰ４１４、回線切替装置ＣＳＷ４１６およびファイルユニットＦＩＬＵ４１８を含んでなる。ルータＲＴ４１２は、ＰＰＭ中央処理装置ＰＣＰ４１４に接続され、他のパケット加入者系処理装置ＰＰＭまたはパケット関門中継処理装置と接続する際のルータ機能を有する。ＰＰＭ中央処理装置ＰＣＰ４１４は、接続部４０２、ルータＲＴ４１２、回線切替装置ＣＳＷ４１６およびファイルユニットＦＩＬＵ４１８に接続され、格納されたプログラムにより全体の制御を司る機能を有する。回線切替装置ＣＳＷ４１６は、パケットハイウェイ切替装置ＨＷＳＷ４０４、ＭＬＳ接続インタフェース回路ＭＬＥＩＦ４０８、ＰＰＭ中央処理装置ＰＣＰ４１４および回線対応部４０１に接続され、それぞれ二重化されたパケットハイウェイ切替装置ＨＷＳＷ４０４、ＭＬＳ接続インタフェース回路ＭＬＥＩＦ４０８およびＰＰＭ中央処理装置ＰＣＰ４１４の片系に障害が発生した場合に系統切替を行う機能や、動作中の主系のＰＰＭ中央処理装置ＰＣＰ４１４に回線対応部４０１からの結線を接続する機能を有する。ファイルユニットＦＩＬＵ４１８は、ＰＰＭ中央処理装置ＰＣＰ４１４に接続され、制御用のプログラムや、交換機の設定ファイル等の局データ等を格納する機能を有する。
【００３０】
図５は、本発明が適用されるパケット関門中継処理装置ＰＧＷのハードウェア構成の一例を示す図であり、パケット関門中継処理装置ＰＧＷの構成のうち本発明に関係する部分のみを概念的に示している。
【００３１】
パケット関門中継処理装置ＰＧＷ５００は、少なくとも全体の制御を司る制御部５０２と、ＮＳＰ／イントラネットへの接続機能を有する関門接続部５０４とから構成される。
【００３２】
制御部５０２は、ルータＲＴ５０６と、ＰＧＷ中央処理装置ＧＣＰ５０８と、ファイルユニットＦＩＬＵ５１０とを含んでなる。ルータＲＴ５０６は、ＰＧＷ中央処理装置ＧＣＰ５０８に接続され、他のパケット加入者系処理装置ＰＰＭまたはパケット加入者系処理装置ＰＰＭや、パケット加入者通信情報収集システムＣＣＣ＿Ｐに接続する際のルータ機能を有する。ＰＧＷ中央処理装置ＧＣＰ５０８は、関門接続部５０４、ルータＲＴ５０６およびファイルユニットＦＩＬＵ５１０に接続され、全体の制御を司る機能を有する。ファイルユニットＦＩＬＵ５１０は、ＰＧＷ中央処理装置ＧＣＰ５０８に接続され、制御用のプログラムや、交換機の設定ファイル等の局データ等を格納する機能を有する。
【００３３】
関門接続部５０４は、制御部５０２に接続され、ＮＳＰ／イントラネットへ接続する際に、スイッチングハブ、ルータ等の機能を有する。
【００３４】
図８は、図５に示すパケット関門中継処理装置ＰＧＷの機能ブロック図であり、パケット関門中継処理装置ＰＧＷの機能のうち本発明に関係する部分のみを概念的に示している。図８において説明する各機能ブロックは、図５で説明したパケット関門中継処理装置ＰＧＷ５００のハードウェア構成図中のＰＧＷ中央処理装置ＧＣＰ５０８において実行されるプログラム等により実現される。
【００３５】
パケット関門中継処理装置ＰＧＷ８００は、少なくとも通信相手判断部８０２とタイマ値設定部８０４とから構成される。
【００３６】
通信相手判断部８０２は、パケット通信する相手がセルラパケットシステム用のＰＰＭかまたは衛星パケットシステム用のＰＰＭかを判断する機能を有する。
【００３７】
タイマ値設定部８０４は、通信相手判断部８０２の判断結果に従って無線区間に関する応答待ちタイマ値を設定する機能を有する。
【００３８】
次に、このように構成された本実施の形態において、移動機がパケットを送受信する場合のパケット通信システムの動作の一例について、以下に図６および図７を参照して詳細に説明する。ここで、以下に説明する通信シーケンスは、セルラパケット通信において従来から実施されている技術を利用したものである（１９９８年（社）電気通信協会発行「ＮＴＴＤｏＣｏＭｏテクニカルジャーナル」Ｖｏｌ．６  Ｎｏ．３  第３０頁乃至第３４頁  参照  ）。
【００３９】
図６は、移動機がパケットを発信する場合の通信シーケンスの一例を示す図である。
【００４０】
パケット発信時の処理において、ＰＧＷが初めてタイマ起動をかけて移動機へ信号を送信するのは、ＰＰＰネゴシエーション時に使用するタイマである。そのため、ＰＧＷではＰＰＰネゴシエーションの段階に入る前に、通信方式が衛星かセルラかを区別する必要がある。以下に詳細に説明するパケット発信時のシーケンスにおいて、ＰＰＰネゴシエーションの直前にＰＰＭからＰＧＷに回線接続要求信号が送信される。本発明では、回線接続要求に「通信方式」パラメータを新たに定義し、セルラ用ＰＰＭからの回線接続要求における通信方式には「セルラ」，衛星用ＰＰＭからの回線接続要求における通信方式には「衛星」を示す値を「通信方式」パラメータに設定するようにした。そして、ＰＧＷでは、ＰＰＭからの回線接続要求を受信し、その中の「通信方式」パラメータが「セルラ」の場合はＰＰＰネゴシエーション時のタイマ値をセルラ用に設定し、通信方式パラメータが「衛星」の場合は衛星用のタイマ値を設定することになる。
【００４１】
まず、移動機は、ＰＰＭに対してパケット通信登録要求を行う（ステップＳ６０２）。
【００４２】
ついで、移動機とＰＰＭとの間で認証処理が行われる（ステップＳ６０４）。
【００４３】
ついで、ＰＰＭから移動機に対してパケット通信登録応答が送信される（ステップＳ６０６）。
【００４４】
ついで、移動機はＰＰＭに対して仮想回線接続要求を行う（ステップＳ６０８）。
【００４５】
ついで、ＰＰＭはＰＧＷに対して回線接続要求を行う（ステップＳ６１０）。回線接続要求のパケット中には、送信元のＰＰＭが衛星用ＰＰＭかセルラ用ＰＰＭかを区別する「通信方式」パラメータが存在し、ＰＧＷは、「通信方式」パラメータを参照することにより、送信元が衛星用ＰＰＭかセルラ用ＰＰＭかを判断する。
【００４６】
ついで、ＰＧＷはＰＰＭに対して回線接続応答を送信する（ステップＳ６１２）。
【００４７】
ついで、ＰＰＭは移動機に対して仮想回線接続応答を送信する（ステップＳ６１４）。
【００４８】
ついで、移動機とＰＰＭとＰＧＷとの間でポイントツーポイントプロトコールＰＰＰによるネゴシエーション（ＰＰＰネゴシエーション）が行われる（ステップＳ６１６）。ＰＰＰネゴシエーションにおいて、ＰＧＷは、通信相手が衛星用ＰＰＭの場合には衛星用のタイマ時間を設定し、またセルラ用ＰＰＭの場合にはセルラ用のタイマ時間を設定する。
【００４９】
図７は、移動機がパケットを着信する場合の通信シーケンスの一例を示す図である。
【００５０】
ＮＳＰ／イントラネットからのパケット着信時、ＰＧＷは、ＰＰＭに通信開始通知信号を送信し、ＰＰＭと移動機が着信処理を行った後、最終的に回線接続要求がＰＧＷに送信される。この処理において、ＰＧＷは通信開始通知を送信するときにタイマを起動し、回線接続要求を受信するまで待つ。この通信開始通知送信時に起動する回線接続要求待ちタイマのタイマ値は、セルラと衛星を区別して設定する必要がある。しかし、通信開始通知する時点ではＰＰＭからＰＧＷに送信される信号はないため、このままでは通信方式がセルラか衛星かを判断することができないので、衛星用ＰＰＭのみ通信開始通知に対する確認信号をＰＧＷに送信し、ＰＧＷはその信号の有無により通信方式を判断することになる。
【００５１】
まず、ＰＧＷに移動機宛てのパケットが到着すると、ＰＧＷは回線接続要求待ちタイマを、セルラ用のタイマ時間に設定する（ステップＳ７０２）。
【００５２】
ついで、ＰＧＷはＰＰＭに対して通信開始通知を送信する（ステップＳ７０４）。
【００５３】
ついで、ＰＰＭは移動機の呼び出しを行う（ステップＳ７０６）。
【００５４】
ついで、衛星用ＰＰＭが移動機の呼出元である場合には、衛星用ＰＰＭはＰＧＷに対して通信開始応答指示を送信する（ステップＳ７０８）。ＰＧＷは、通信開始応答指示を受信すると、パケット送信先が衛星用ＰＰＭであると認識して、ステップＳ７０２で設定したタイマ時間を、衛星用のタイマ時間になるように調整する。すなわち、衛星用のタイマ時間とセルラ用のタイマ時間との差分の時間を、現状のタイマ時間に加える（ステップＳ７１６）。
【００５５】
ついで、移動機からパケット通信登録要求が送信されると（ステップＳ７１０）、ＰＰＭと移動機との間で認証処理が実行される（ステップＳ７１２）。
【００５６】
ついで、ＰＰＭはＰＧＷに対して回線接続要求を行う（ステップＳ７１４）。ここで、ＰＧＷがステップＳ７０８の通信開始応答指示を受信しないで、ステップＳ７１４において回線接続要求を受信した場合には、ＰＧＷの接続先はセルラ用ＰＰＭであることが判るので、ステップＳ７１６におけるタイマ時間の更新は行わない。
【００５７】
ついで、ＰＧＷはＰＰＭに対して回線接続応答を送信する（ステップＳ７１８）。
【００５８】
ついで、ＰＰＭは移動機に対してパケット通信登録応答を送信する（ステップＳ７２０）。
【００５９】
ついで、ＰＰＭは移動機に対して仮想回線接続要求を行う（ステップＳ７２２）。
【００６０】
ついで、移動機はＰＰＭに対して仮想回線接続応答を送信する（ステップＳ７２４）。
【００６１】
ついで、移動機とＰＰＭとＰＧＷとの間でポイントツーポイントプロトコールＰＰＰによるネゴシエーション（ＰＰＰネゴシエーション）が行われる（ステップＳ７２６）。ＰＰＰネゴシエーションにおいて、ＰＧＷは、通信相手が衛星用ＰＰＭの場合にはステップＳ７１６で設定した衛星用のタイマ時間を用い、またセルラ用ＰＰＭの場合にはステップＳ７０２で設定したセルラ用のタイマ時間を用いる。
【００６２】
（他の実施の形態）
上述した実施の形態においては、基地局とパケット加入者系処理装置とパケット関門中継処理装置とを独立の筐体として実現する場合を一例に説明したが、本発明はこの場合に限定されるものではなく、他の実施の形態においては、基地局とパケット加入者系処理装置とパケット関門中継処理装置とを適宜組み合わせて１つの筐体として実施することができることは当業者にとって自明である。
【００６３】
【発明の効果】
以上詳細に説明したように、本発明によれば、関門中継処理装置は、パケット通信する相手がセルラパケットシステム用の加入者系処理装置かまたは衛星パケットシステム用の加入者系処理装置かを判断する判断手段と、判断手段の判断結果に従って無線区間に関する応答待ちタイマ値を設定する設定手段とを備えたので、ＰＧＷにおいて通信方式（セルラ／衛星）を区別しそれぞれのタイマ値を持つことにより、セルラパケットシステムと衛星パケットシステムでパケット関門中継処理装置ＰＧＷを共通で使用できる。
【００６４】
また、本発明によれば、判断手段は、加入者系処理装置から関門中継処理装置に対して送信される「回線接続要求信号」、または加入者系処理装置から関門中継処理装置に対して送信される「通信開始通知に対する確認信号」により判断するので、従来の通信シーケンスへの変更を最小限に留めつつ、効率的に通信相手を判断することができる。
【００６５】
さらに、本発明によれば、設定手段は、セルラパケットシステム用の加入者系処理装置に対して短いタイマ値を設定し、かつ衛星パケットシステム用の加入者系処理装置に対して長いタイマ値を設定するので、セルラパケットシステムと衛星パケットシステムで適切なタイマ値を設定しつつ、パケット関門中継処理装置ＰＧＷを共通で使用できる。
【００６６】
【図面の簡単な説明】
【図１】従来技術によるセルラパケットシステムの一例を概念的に示す図である。
【図２】従来技術によるセルラパケットシステムと衛星パケットシステムとが共存するシステムの一例を概念的に示す図である。
【図３】本発明が適用されるセルラパケットシステムと衛星パケットシステムとが共存するシステム構成の一例を示す図である。
【図４】本発明が適用されるパケット加入者系処理装置ＰＰＭのハードウェア構成の一例を示す図である。
【図５】本発明が適用されるパケット加入者系処理装置ＰＰＭのハードウェア構成の一例を示す図である。
【図６】移動機がパケットを発信する場合の通信シーケンスの一例を示す図である。
【図７】移動機がパケットを着信する場合の通信シーケンスの一例を示す図である。
【図８】図５に示すパケット関門中継処理装置ＰＧＷの機能ブロック図である。
【符号の説明】
１０  セルラ用パケット関門中継処理装置ＰＧＷ
１１  衛星用パケット関門中継処理装置ＰＧＷ
１２  パケット関門中継処理装置ＰＧＷ
２０  セルラ用パケット加入者系処理装置ＰＰＭ
２１  衛星用パケット加入者系処理装置ＰＰＭ
３０  セルラ用基地局
３１  衛星用基地局
４０  セルラ用移動機
４１  衛星用移動機
５０  ネットワークサービスプロバイダＮＳＰ／イントラネット
６０  衛星
１００  パケット通信システム
４００  パケット加入者系処理装置ＰＰＭ
４０１  回線対応部
４０２  接続部
４０３  制御部
４０４  パケットハイウェイ切替装置ＨＷＳＷ
４０６  パケット回線処理装置ＰＬＵ
４０８  ＭＬＳ接続インタフェース回路ＭＬＥＩＦ
４１０  回線切替装置ＣＳＷ
４１２  ルータＲＴ
４１４  ＰＰＭ中央処理装置ＰＣＰ
４１６  回線切替装置ＣＳＷ
４１８  ファイルユニットＦＩＬＵ
５００  パケット関門中継処理装置ＰＧＷ
５０２  制御部
５０４  関門接続部
５０６  ルータＲＴ
５０８  ＰＧＷ中央処理装置ＧＣＰ
５１０  ファイルユニットＦＩＬＵ
８００  パケット関門中継処理装置ＰＧＷ
８０２  通信相手判断部
８０４  タイマ値設定部
【図１】
0003597434.tif 000002
【図２】
0003597434.tif 000003
【図３】
0003597434.tif 000004
【図４】
0003597434.tif 000005
【図５】
0003597434.tif 000006
【図６】
0003597434.tif 000007
【図７】
0003597434.tif 000008
【図８】
0003597434.tif 000009